(57)【特許請求の範囲】
【請求項１】
前方に開口した開口部と、使用者の操作により前記開口部を開閉させるための開閉板と、を有し、物品を収納可能なキャビネットと、
物品を載置可能で上面が平面状のカウンターと、
前記キャビネットと前記カウンターとの間に設けられた補強部材と、
を備えたシステムキッチンであって、
前記カウンターの端部は、前記開閉板の前面より前方に突出し、
前記カウンターの前記端部は、前記補強部材の前端より前方に突出し、
前記開閉板の前面は、前記補強部材の前記前端よりも前方に突出し、
前記開閉板の上面と前記カウンターの下面との間に隙間が形成され、
前記補強部材は、
前記カウンターが載置される載置部と、
前記補強部材の前記前端に設けられ、前記載置部の前端から下方に延設される延設部と、
を有し、
前記延設部の上下方向の長さは、前記載置部の上下方向の長さ及び前記載置部の前後方向の長さよりも長いことを特徴とするシステムキッチン。
【請求項２】
前記隙間の上下方向における長さは、前記カウンターの厚みより大きいことを特徴とする請求項１記載のシステムキッチン。
【請求項３】
前記延設部は、前記開口部より前方に配設され、
前記延設部と前記開閉板の前記上面との間に間隙が設けられていることを特徴とする請求項１または２に記載のシステムキッチン。
【請求項４】
前記載置部の前端は、前記開口部よりも前方に位置し、
前記延設部は、前後方向において前記開口部との間に隙間を有することを特徴とする請求項１〜３のいずれか１つに記載のシステムキッチン。
【発明の詳細な説明】
【技術分野】
【０００１】
本発明の態様は、一般的に、システムキッチンに関する。
【背景技術】
【０００２】
一般的に、システムキッチンは、物品を収納可能なキャビネットと、物品を載置可能なカウンターと、を備えている。例えば、カウンターには、前垂れ部と、水返し部と、バックガードと、が設けられている（特許文献１）。前垂れ部は、カウンターの前縁に設けられ、下方に延びる。水返し部は、カウンターの前縁付近に設けられ、カウンター上面から上方に突出する。バックガードは、カウンターの後方に設けられ、カウンター上面から上方に延びる。これらの水返し部及びバックガードにより、カウンター上に零れた水が床面に流れ落ちてしまうことが抑制される。
【先行技術文献】
【特許文献】
【０００３】
【特許文献１】特開２００８−１７３１９６号公報
【発明の概要】
【発明が解決しようとする課題】
【０００４】
一方、システムキッチンのデザイン性を向上させるため、水返し部及びバックガードを設けないことで、上面の突起体を極力小さくし、上面が平面状のカウンターが提案されている。
【０００５】
しかしながら、システムキッチンのカウンターの上面を平面状にしただけでは、デザイン性においてまだまだ向上の余地がある。そこで、出願人は、システムキッチンのデザイン性の向上のために、カウンターを薄型にすることで、カウンターをシャープに感じさせる試みを検討した。しかし、カウンターを薄型にすると、その分カウンターの強度が低下してしまうため、例えばカウンターの撓み等が発生してしまう。このため、カウンターの薄型化には限界がある。
【０００６】
また、上面を平面状にしたカウンターの場合、水返し部やバックガードがないため、カウンターの上に零れた水がカウンターの端部から流れ落ち、キャビネットが濡れてしまう恐れがある。キャビネットが濡れてしまうと、キャビネットが腐食してしまったり、かびが発生してしまう恐れがある。さらに、キャビネットが濡れてしまうと、キャビネットの開口部から水が浸入し、キャビネット内に収納された物品が濡れてしまう恐れがある。
【０００７】
本発明は、かかる課題の認識に基づいてなされたものであり、デザイン性を向上させると共に、上面が平面状のカウンターの上に零れた水でキャビネットを濡らす可能性を低減できるシステムキッチンを提供することを目的とする。
【課題を解決するための手段】
【０００８】
第１の発明は、前方に開口した開口部と、使用者の操作により前記開口部を開閉させるための開閉板と、を有し、物品を収納可能なキャビネットと、物品を載置可能で上面が平面状のカウンターと、前記キャビネットと前記カウンターとの間に設けられた補強部材と、を備えたシステムキッチンであって、前記カウンターの端部は、前記開閉板の前面より前方に突出し、前記カウンターの前記端部は、前記補強部材の前端より前方に突出し、前記開閉板の前面は、前記補強部材の前記前端よりも前方に突出し、前記開閉板の上面と前記カウンターの下面との間に隙間が形成され、前記補強部材は、前記カウンターが載置される載置部と、前記補強部材の前記前端に設けられ、前記載置部の前端から下方に延設される延設部と、を有し、前記延設部の上下方向の長さは、前記載置部の上下方向の長さ及び前記載置部の前後方向の長さよりも長いことを特徴とするシステムキッチンである。
【０００９】
このシステムキッチンによれば、カウンターの端部の下方には、キャビネットが存在しない。このため、使用者がカウンターの前方斜め上からカウンターを見た際に、上面が平面状で薄いカウンターが浮遊しているように見える。これにより、使用者はカウンターをシャープに感じることができる。このことより、システムキッチンのデザイン性を向上させることができる。
また、カウンターの端部の下方にキャビネットが存在しないことから、カウンターの上に零れた水がカウンターの端部から流れ落ち、キャビネットが濡れてしまう可能性を低減できる。そして、キャビネットが濡れてしまうことで、キャビネットが腐食してしまったり、かびが発生してしまったり、キャビネットの開口部から水が浸入してキャビネット内に収納された物品が濡れてしまう可能性を低減できる。
【００１１】
このシステムキッチンによれば、上面が平面状の薄いカウンターであっても、補強部材によってカウンターのカウンター自身の自重による下方へのたわみを抑制できる。その上で、カウンターの端部が補強部材の前端より前方に突出しているため、補強部材の存在によってカウンターの浮遊感を損なう恐れがない。また、カウンターの上に零れた水がカウンターの端部から流れ落ち、補強部材が濡れてしまう可能性を低減できる。
【００１３】
このシステムキッチンによれば、開閉板の前面が補強部材の前端よりも前方に突出し、開閉板の上面とカウンターの下面との間に隙間が形成されているため、使用者がシステムキッチンを前方斜め上から見たときに、開閉板の前面上部の角部分が見えるようになり、カウンターの浮遊感をより高めることができる。また、開閉板が補強部材より奥側に配置されないため、開閉板の開閉し易さを確保することができる。
【００１４】
第２の発明は、第１の発明において、前記隙間の上下方向における長さは、前記カウンターの厚みより大きいことを特徴とするシステムキッチンである。
【００１５】
このシステムキッチンによれば、カウンターの下面と開閉板の上面との間の隙間の上下方向における長さがカウンターの厚みより大きいため、使用者には相対的にカウンターが薄く見え、使用者はカウンターをよりシャープに感じることができる。
【００１６】
第３の発明は、第１または第２の発明において、前記延設部は、前記開口部より前方に配設され、前記延設部と前記開閉板の前記上面との間に間隙が設けられていることを特徴とするシステムキッチンである。
【００１７】
このシステムキッチンによれば、補強部材の載置部から下方に延設される延設部により、カウンターのカウンター自身の自重による下方へのたわみをより強く抑制できる。また、仮に載置部から下方に延設される延設部をキャビネットの上面とカウンターの下面との間に設けると、キャビネットの上面とカウンターの下面との間の距離が必要以上に長くなってしまう。これに対して、延設部がキャビネットの開口部より前方に配設されている。このため、載置部から下方に延設される延設部を設けるためにキャビネットの上面とカウンターの下面との間の距離が長くなってしまうことを抑制できる。加えて、延設部が開口部より前方に配設されているため、カウンターの上に零れた水がカウンターの端部からカウンターの裏面まで流れてきた場合でも、延設部により水の流れを抑制できる。このため、水が開口部に侵入することを抑制できる。さらに、延設部と開閉板の上面との間に間隙が設けられているため、延設部が開閉板の開閉動作の妨げになることがない。
第４の発明は、第１〜第３のいずれか１つの発明において、前記載置部の前端は、前記開口部よりも前方に位置し、前記延設部は、前後方向において前記開口部との間に隙間を有することを特徴とするシステムキッチンである。
【発明の効果】
【００１８】
本発明の態様によれば、デザイン性を向上させると共に、上面が平面状のカウンターの上に零れた水でキャビネットを濡らす可能性を低減できるシステムキッチンを提供することができる。
【図面の簡単な説明】
【００１９】
【図１】実施形態に係るシステムキッチンを表す斜視図である。
【図２】図１のＡ１−Ａ２線断面を表す部分断面図である。
【図３】図２のＡ３部を拡大した拡大図である。
【図４】図１のＢ１部を拡大した拡大図である。
【図５】図５（ａ）〜図５（ｃ）は、実施形態に係るカウンターを表す部分断面図である。
【発明を実施するための形態】
【００２０】
以下、実施形態について図面を参照しつつ説明する。なお、各図面中、同様の構成要素には同一の符号を付して詳細な説明は適宜省略する。  
【００２１】
図１は、実施形態に係るシステムキッチンを表す斜視図である。  
図２は、図１のＡ１−Ａ２線断面を表す部分断面図である。  
図３は、図２のＡ３部を拡大した拡大図である。  
図４は、図１のＢ１部を拡大した拡大図である。  
【００２２】
図１に示すように、システムキッチン１０は、カウンター１００と、キャビネット２００と、を備えている。カウンター１００は、キャビネット２００の上に設けられている。カウンター１００は、物品を載置可能である。キャビネット２００は、物品を収納可能である。物品には、例えば、キッチン用品などが含まれる。
【００２３】
カウンター１００は、シンク１１０と、ガスレンジ取り付け用の開口部１２０と、を備える。なお、シンク１１０における水栓は図示を省略している。カウンター１００の材料には、例えば、ステンレスや人工大理石、人造大理石などが用いられる。カウンター１００の上面１００ａは、平面状である。平面状とは、カウンター１００の上面１００ａが実質的に平坦であればよい。例えば、カウンター１００の上面１００ａに１ｍｍ以内の突起などを含んでもよい。カウンター１００の上面１００ａには、例えば、水返し部及びバックガードが設けられていない。この例では、カウンター１００の下面も、前垂れ部などを有しない平面状である。カウンター１００は、平板状である。カウンター１００の厚さは、例えば、１０ｍｍ以上１５ｍｍ以下である。カウンター１００は、比較的薄い平板状に形成される。これにより、例えば、システムキッチン１０のデザイン性を向上させることができる。但し、カウンター１００の下面側の形状は、特に限定されない。
【００２４】
キャビネット２００は、例えば、第１キャビネット部２１０と、第２キャビネット部２２０と、第３キャビネット部２３０と、を備える。第１キャビネット部２１０は、第１開口部２１１と、第１開閉板２１２と、を有する。第１開口部２１１は、前方に開口する。第１開閉板２１２は、第１開口部２１１を開閉可能に設けられている。第２キャビネット部２２０は、第２開口部２２１と、第２開閉板２２２と、を有する。第２開口部２２１は、前方に開口する。第２開閉板２２２は、第２開口部２２１を開閉可能に設けられている。第３キャビネット部２３０は、第３開口部２３１と、第３開閉板２３２と、を有する。第３開口部２３１は、前方に開口する。第３開閉板２３２は、第３開口部２３１を開閉可能に設けられている。第３キャビネット部２３０には、ガスレンジを載置するためのレンジ台２４０が設けられている。本例において、キャビネット２００は、３つのキャビネット部を有しているが、キャビネット部の個数はこれに限定されない。
【００２５】
以下、第１〜第３キャビネット部２１０、２２０、２３０を総称してキャビネット２００とし、第１〜第３開口部２１１、２２１、２３１を総称して開口部２０１とし、第１〜第３開閉板２１２、２２２、２３２を総称して開閉板２０２として説明する。
【００２６】
本願明細書において、「横方向」とは、水平方向であって開閉板２０２の前面２０２ｆ（すなわち、キャビネット２００の前面）に平行な方向をいう。「上下方向」とは、横方向に垂直な方向であって開閉板２０２の前面２０２ｆに平行な方向をいう。「前後方向」とは、横方向及び上下方向に垂直な方向をいう。
【００２７】
図２及び図３に示すように、カウンター１００は、天板１０１と、裏張り板１０２と、を含む。天板１０１と裏張り板１０２とは、接着等により一体的に設けられている。カウンター１００の端部１００ｅｄは、裏張り板１０２で覆われていない。つまり、天板１０１の端部は、裏張り板１０２の端部よりも突出している。ここで、カウンター１００の端部１００ｅｄにおいて、カウンター１００の下面１００ｂは、天板１０１の下面に対応する。
【００２８】
キャビネット２００は、開口部２０１と、開閉板２０２と、を有する。開口部２０１は、前方に開口し、物品を収容可能な空間と接続されている。開閉板２０２は、使用者の操作により開口部２０１を開閉させる。開閉板２０２は、例えば、前方に引き出す引き出しタイプである。換言すれば、開閉板２０２は、引き出しの前板である。開閉板２０２は、上下方向に沿う１つの軸を中心として横方向に回転する扉タイプとしてもよい。カウンター１００の端部１００ｅｄは、開閉板２０２の前面２０２ｆより前方に突出している。カウンター１００の端部１００ｅｄの開閉板２０２の前面２０２ｆからの突出長Ｐ１は、例えば、１１ｍｍ以上１６ｍｍ以下である。
【００２９】
カウンター１００の端部１００ｅｄの下方には、キャビネット２００が存在しない。このため、図４に示すように、使用者がカウンター１００の前方斜め上からカウンター１００を見た際に、上面１００ａが平面状で薄いカウンター１００が浮遊しているように見え、デザイン性を向上させることができる。これにより、使用者はカウンター１００をシャープに感じることができる。
【００３０】
また、カウンター１００の端部１００ｅｄの下方にキャビネット２００が存在しないことから、カウンター１００の上に零れた水がカウンター１００の端部１００ｅｄから流れ落ち、キャビネット２００が濡れてしまう可能性を低減できる。そして、キャビネット２００が濡れてしまうことで、キャビネット２００が腐食してしまったり、かびが発生してしまったり、キャビネット２００の開口部２０１から水が浸入してキャビネット２００内に収納された物品が濡れてしまう可能性を低減できる。
【００３１】
図３に示すように、システムキッチン１０は、補強部材１０３をさらに備える。補強部材１０３は、キャビネット２００とカウンター１００との間に設けられている。補強部材１０３は、裏張り板１０２の端部に対向するようにして設けられる。補強部材１０３は、例えば、断面Ｌ形状のブラケットである。補強部材１０３の材料には、例えば、アルミニウムが用いられる。
【００３２】
補強部材１０３は、カウンター１００が載置される載置部１０３ａと、載置部１０３ａから下方に延設される延設部１０３ｂと、を有する。補強部材１０３は、一定以上の厚みを有する。補強部材１０３の寸法は、例えば、厚みＬ１が９ｍｍ、載置部１０３ａの長さＬ２が２２ｍｍ、延設部１０３ｂの長さＬ３が２７ｍｍである。
【００３３】
カウンター１００は、上面１００ａが平面状で、厚みが薄いため、外力が加わったときにたわみ、破損してしまう場合がある。これに対して、カウンター１００とキャビネット２００との間に補強部材１０３を設けることで、カウンター１００のたわみを抑制できる。
【００３４】
カウンター１００の端部１００ｅｄは、補強部材１０３の前端１０３ｅｄより前方に突出している。このため、補強部材１０３の存在によってカウンター１００の浮遊感を損なう恐れがない。また、カウンター１００の上に零れた水がカウンター１００の端部１００ｅｄから流れ落ち、補強部材１０３が濡れてしまう可能性を低減できる。
【００３５】
また、開閉板２０２の前面２０２ｆは、補強部材１０３の前端１０３ｅｄよりも前方に突出している。開閉板２０２の上面２０２ａとカウンター１００の下面１００ｂとの間に隙間ｃ１が形成されている。このため、図４に示すように、使用者がシステムキッチン１０を前方斜め上から見たときに、開閉板２０２の前面上部の角部分が見えるようになり、カウンター１００の浮遊感をより高めることができる。また、開閉板２０２が補強部材１０３より奥側に配置されないため、開閉板２０２の開閉し易さを確保することができる。
【００３６】
ここで、カウンター１００の端部１００ｅｄは、開閉板２０２の前面２０２ｆよりも前方に突出している。このため、図４に示すように、使用者がシステムキッチン１００を前方斜め上から見たときに、カウンター１００の端部１００ｅｄにより、開閉板２０２の上面２０２ａの奥側の辺２０２ｓが角部分を除いて隠れる。つまり、使用者には、開閉板２０２の上面２０２ａの奥側の辺２０２ｓが角部分を除いて見えない状態となる。このような状態において、使用者にはカウンター１００の浮遊感がより強く感じられる。
【００３７】
隙間ｃ１の上下方向における隙間長Ｄ１は、カウンター１００の厚みＴ１（すなわち、天板１０１の厚みと裏張り板１０２の厚みの合計）より大きいことが望ましい。カウンター１００の厚みＴ１は、前述したように、例えば、１０ｍｍ以上１５ｍｍ以下である。隙間長Ｄ１は、例えば、１１ｍｍ以上３５ｍｍ以下である。なお、例えば、隙間長Ｄ１が１１ｍｍであった場合は、カウンター１００の厚みＴ１は１１ｍｍ未満である。これにより、使用者には相対的にカウンター１００が薄く見え、使用者はカウンター１００をよりシャープに感じることができる。
【００３８】
また、補強部材１０３の前端１０３ｅｄは、開口部２０１より前方に配設されている。延設部１０３ｂと開閉板２０２の上面２０２ａとの間に間隙ｇ１が設けられている。間隙ｇ１は、例えば、連続的に設けられている。補強部材１０３の延設部１０３ｂにより、カウンター１００のたわみをより強く抑制できる。また、延設部１０３ｂが開口部２０１より前方に配設されているため、カウンター１００の上に零れた水がカウンター１００の端部１００ｅｄからカウンター１００の裏面（下面１００ｂ）まで流れてきた場合でも、延設部１０３ｂにより水の流れを抑制できる。このため、水が開口部２０１に侵入することを抑制できる。また、延設部１０３ｂと開閉板２０２の上面２０２ａとの間に連続的に設けられた間隙ｇ１により、延設部１０３ｂが開閉板２０２の開閉動作の妨げになることがない。
【００３９】
以上では、第２キャビネット部２２０の断面を例示して説明したが、第１キャビネット部２１０の断面、及び、第３キャビネット部２３０の断面においても同様の構造を有するものとする。
【００４０】
図５（ａ）〜図５（ｃ）は、実施形態に係るカウンターを表す部分断面図である。  
図５（ａ）は、図２で説明したカウンター１００の一部を示す。  
図５（ｂ）は、カウンター１００の変形例を示す。  
図５（ｃ）は、カウンター１００の別の変形例を示す。  
【００４１】
図５（ａ）に示すように、カウンター１００は、天板１０１と、裏張り板１０２と、を含む。天板１０１及び裏張り板１０２の材料には、例えば、人工大理石が用いられる。天板１０１及び裏張り板１０２は、例えば、接着等により一体的に貼り合わされている。天板１０１の端部は、裏張り板１０２の端部よりも突出している。天板１０１の端部においては、裏張り板１０２で覆われていない下面が露出している。
【００４２】
カウンター１００の端部においては、裏張り板１０２の端部側面と対向するように、断面Ｌ形状の補強部材１０３が設けられている。補強部材１０３は、載置部１０３ａと、延設部１０３ｂと、を含む。載置部１０３ａは、天板１０１とキャビネット２００との間に設けられる。載置部１０３ａは、例えば、天板１０１の下面と接する。延設部１０３ｂは、載置部１０３ａと連結され、下方に延びる。補強部材１０３の材料には、例えば、アルミニウムが用いられる。
【００４３】
図５（ｂ）に示すように、カウンター１１１は、天板１０４と、裏張り板１０５と、中間部材１０６と、を含む。天板１０４及び裏張り板１０５の材料には、例えば、人工大理石が用いられる。天板１０４及び裏張り板１０５は、例えば、接着等により一体的に貼り合わされている。天板１０４の端部は、裏張り板１０５の端部よりも突出している。天板１０４の端部には、下方に延びる前垂れ部１０４ａが設けられている。前垂れ部１０４ａと裏張り板１０５との間には、中間部材１０６が設けられている。
【００４４】
カウンター１１１の端部においては、裏張り板１０５の端部側面と対向するように、断面Ｌ形状の補強部材１０３が設けられている。補強部材１０３は、載置部１０３ａと、延設部１０３ｂと、を含む。載置部１０３ａは、中間部材１０６とキャビネット２００との間に設けられる。延設部１０３ｂは、載置部１０３ａと連結され、下方に延びる。
【００４５】
図５（ｃ）に示すように、カウンター１１２は、天板１０７と、裏張り板１０８と、中間部材１０９と、を含む。天板１０７の材料には、例えば、ステンレスが用いられる。裏張り板１０８の材料には、例えば、木材が用いられる。天板１０７及び裏張り板１０８は、例えば、接着等により一体的に貼り合わされている。天板１０７の端部は、裏張り板１０８の端部よりも突出している。天板１０７の端部には、折り返し部１０７ａが設けられている。折り返し部１０７ａと裏張り板１０８との間には、中間部材１０９が設けられている。
【００４６】
カウンター１１２の端部においては、裏張り板１０８の端部側面と対向するように、断面Ｌ形状の補強部材１０３が設けられている。補強部材１０３は、載置部１０３ａと、延設部１０３ｂと、を含む。載置部１０３ａは、中間部材１０９とキャビネット２００との間に設けられる。延設部１０３ｂは、載置部１０３ａと連結され、下方に延びる。
【００４７】
このように、カウンターは、部分的に前垂れ部１０４ａや折り返し部１０７ａなどを有してもよい。カウンターは、例えば、斜め上から見た時に、実質的に平板状に見える任意の構成及び形状でよい。例えば、カウンターの上面及びカウンターの下面のうち、キャビネット２００よりも外方に突出した部分（外部から見える部分）の平面度を１ｍｍ以下にする。これにより、カウンターを実質的に平板状に見せることができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１０  システムキッチン、１００、１１１、１１２  カウンター、１００ａ、２０２ａ  上面、１００ｂ  下面、１００ｅｄ  端部、１０１、１０４、１０７  天板、１０２、１０５、１０８  裏張り板、１０３  補強部材、１０３ａ  載置部、１０３ｂ  延設部、１０３ｅｄ  前端、１０４ａ 前垂れ部、１０６、１０９  中間部材、１０７ａ  折り返し部、１１０  シンク、１２０、２０１  開口部、２００  キャビネット、２０２  開閉板、２０２ｆ 前面、２０２ｓ…辺、２１０  第１キャビネット部、２１１  第１開口部、２１２  第１開閉板、２２０  第２キャビネット部、２２１  第２開口部、２２２  第２開閉板、２３０  第３キャビネット部、２３１  第３開口部、２３２  第３開閉板、２４０  レンジ台、Ｄ１  隙間長、Ｌ１、Ｔ１  厚み、Ｌ２、Ｌ３  長さ、Ｐ１  突出長、ｃ１  隙間、ｇ１  間隙
【図１】
0006768190.tif 000002
【図２】
0006768190.tif 000003
【図３】
0006768190.tif 000004
【図４】
0006768190.tif 000005
【図５】
0006768190.tif 000006